(57)【特許請求の範囲】
【請求項１】
口部、肩部、胴部及び底部を備え、前記胴部の高さ方向に直交する横断面が方形とされた角型ボトル状の容器形状とされ、前記胴部の全周にわたって溝状に形成されたウェスト部を跨いで帯状の巻きラベルが装着される合成樹脂製容器であって、
前記ウェスト部が、
前記胴部の各側面に位置するように周方向に沿って所定の間隔で断続的に形成された主溝部と、
前記主溝部が途切れた前記胴部の各角部において、前記主溝部に対して高さ方向上側と高さ方向下側の両方に段違いに形成された前記主溝部よりも幅狭の副溝部と、
前記主溝部から分岐して上下に位置するそれぞれの前記副溝部に接続する傾斜溝部とを有することを特徴とする合成樹脂製容器。
【発明の詳細な説明】
【技術分野】
【０００１】
本発明は、容器胴部に帯状の巻きラベルが装着される合成樹脂製容器に関する。
【背景技術】
【０００２】
従来、ポリエチレンテレフタレートなどの合成樹脂を用いてプリフォームを形成し、次いで、このプリフォームを延伸ブロー成形などによってボトル状に成形してなる合成樹脂製の容器が、各種飲料品を内容物とする飲料用容器として知られている。
【０００３】
また、この種の容器は、内容物が充填密封されるとともに、内容物を表示する種々のラベルが装着されて市場に供されており、そのようなラベルの一つとして、帯状に切り揃えられたラベルを容器の胴部に巻き付けて装着する、いわゆる、巻きラベルと称されるものが知られている（特許文献１参照）。そして、そのような巻きラベルを容器に装着するには、例えば、始端側と終端側とに接着剤が塗布された巻きラベルを吸着ドラムに吸引保持し、自転しながら搬送されてくる容器の周面に巻きラベルの始端を押し当てて接着し、容器の自転により吸着ドラムから巻き取るようにしながら容器の周方向に沿って巻き付け、巻きラベルの終端を始端上に重なるように容器の周面に押し当てて接着することによって装着することができる（特許文献２，３参照）。
【先行技術文献】
【特許文献】
【０００４】
【特許文献１】特開２００５−２２６６２号公報
【特許文献２】特開２００２−１０４３４９号公報
【特許文献３】特開２００８−３７４３９号公報
【発明の概要】
【発明が解決しようとする課題】
【０００５】
ところで、それ自身が伸縮して容器形状に追随するストレッチラベルやシュリンクラベルとは異なり、巻きラベルの多くは伸縮を伴わずに容器に巻き付けられていくことになる。このため、容器に巻き付けていく際に、巻きラベルにシワが生じてしまうことが危惧される。
【０００６】
例えば、この種の容器にあっては、容器の剛性を高めるために、特許文献１の図１などに示されているように、胴部の全周にわたって溝状に形成されたウェスト部を設けることが知られている。そして、このようなウェスト部が設けられた容器胴部の周方向に沿って巻きラベルを巻き付けていく際には、その巻き付け方向の張力が強くなると、ウェスト部を形成する溝にラベルが食い込んでしまうことがあり、そのような場合には、ラベルの巻き終わりの部分が浮き上がってしまうなどして、シワなどの外観不良が生じてしまうという問題があった。
【０００７】
本発明は、上記したような事情に鑑みてなされたものであり、溝状のウェスト部が形成された容器胴部の周方向に沿って巻きラベルを巻き付ける際に、巻きラベルにシワが生じてしまうなどの外観不良を抑止することができる合成樹脂製容器の提供を目的とする。
【課題を解決するための手段】
【０００８】
本発明に係る合成樹脂製容器は、口部、肩部、胴部及び底部を備え、前記胴部の高さ方向に直交する横断面が方形とされた角型ボトル状の容器形状とされ、前記胴部の全周にわたって溝状に形成されたウェスト部を跨いで帯状の巻きラベルが装着される合成樹脂製容器であって、前記ウェスト部が、前記胴部の各側面に位置するように周方向に沿って所定の間隔で断続的に形成された主溝部と、前記主溝部が途切れた前記胴部の各角部において、前記主溝部に対して高さ方向上側と高さ方向下側の両方に段違いに形成された前記主溝部よりも幅狭の副溝部と、前記主溝部から分岐して上下に位置するそれぞれの前記副溝部に接続する傾斜溝部とを有する構成としてある。
【発明の効果】
【０００９】
本発明によれば、溝状のウェスト部が形成された容器胴部の周方向に沿って当該ウェスト部を跨いで帯状の巻きラベルを装着しても、胴部に巻き付けられた巻きラベルにシワが生じてしまうのを抑止することができる。
【図面の簡単な説明】
【００１０】
【図１】本発明に係る合成樹脂製容器の実施形態の概略を示す正面図である。
【発明を実施するための形態】
【００１１】
以下、本発明の好ましい実施形態について、図面を参照しつつ説明する。
図１は、本実施形態に係る合成樹脂製容器の概略を示す正面図である。
【００１２】
本実施形態において、容器１は、例えば、公知の射出成形や圧縮成形などにより製造された、熱可塑性樹脂からなる有底筒状のプリフォームを二軸延伸ブロー成形するなどして、図示するような、口部２、肩部３、胴部４、及び底部５を備えた所定の容器形状に成形される。
【００１３】
容器１を成形するのに使用する熱可塑性樹脂としては、延伸ブロー成形が可能であれば、任意の樹脂を使用することができる。具体的には、ポリエチレンテレフタレート，ポリブチレンテレフタレート，ポリエチレンナフタレート，ポリカーボネート，ポリアリレート，ポリ乳酸又はこれらの共重合体などの熱可塑性ポリエステル，これらの樹脂あるいは他の樹脂とブレンドされたものなどが好適である。特に、ポリエチレンテレフタレートなどのエチレンテレフタレート系熱可塑性ポリエステルが、好適に使用される。また、アクリロニトリル樹脂，ポリプロピレン，プロピレン−エチレン共重合体，ポリエチレンなども使用することができる。
【００１４】
図示する例において、口部２は、円筒状とされ、このような口部２の開口端側の側面には、図示しない蓋体を取り付けるためのねじ山が、蓋体取り付け手段として設けられている。これにより、内容物を充填した後に、蓋体を口部２に取り付けることによって、容器１内を密封できるようになっている。
【００１５】
また、肩部３は、口部２と胴部４との間に位置し、口部２の直下から拡径しながら胴部４に連続するように形成されている。胴部４は、容器１の高さ方向の大半を占める部分であり、特に図示しないが、高さ方向に直交する横断面が、角部を丸めた方形となるようにしている。これにより、容器１は、角型ボトル状の容器形状とされている。
なお、本発明において、高さ方向とは、口部２を上にして容器１を水平面に置いたときに、水平面に直交する方向に沿った方向をいうものとする。
【００１６】
また、胴部４の高さ方向ほぼ中央付近には、容器１の剛性を高めるためウェスト部４０が、胴部４の全周にわたって溝状に形成されている。
図１に示す例において、ウェスト部４０は、胴部４の各側面に位置するように周方向に沿って所定の間隔で断続的に形成された主溝部４０ａと、主溝部４０ａが途切れた胴部４の各角部において、主溝部４０ａに対して高さ方向上側と高さ方向下側の両方に段違いに形成された主溝部４０ａよりも幅狭の副溝部４０ｂと、主溝部４０ａから分岐して上下に位置するそれぞれの副溝部４０ｂに接続する傾斜溝部４０ｃとを有しており、これらが胴部４の全周にわたって連続するようにして形成されている。
【００１７】
本実施形態では、このようなウェスト部４０が形成された胴部４に、容器１に充填密封される内容物を表示するための巻きラベルが帯状に切り揃えられて、当該ウェスト部４０を跨いで装着される。巻きラベルが装着される範囲を図１に符号Ｌで示すが、胴部４の側面には、減圧吸収パネルや補強リブなど、必要に応じて適宜凹凸形状を設けることができる。
【００１８】
ここで、ウェスト部４０は全周にわたって同じ幅で形成することもできるが、本実施形態にあっては、副溝部４０ｂの幅Ｗｂを主溝部４０ａの幅Ｗａよりも狭くなるようにしている。このとき、副溝部４０ｂの幅Ｗｂは、巻きラベルを胴部４に巻き付ける際に、巻きラベルが副溝部４０ｂに食い込み難くなるように適宜調整するものとする。副溝部４０ｂの幅Ｗｂは、具体的には、３〜６ｍｍ程度とするのが好ましい。
一方、主溝部４０ａの幅Ｗａは、容器１の剛性を確保するのに必要な幅を確保するものとし、具体的には、７〜１５ｍｍ程度とするのが好ましい。
【００１９】
このようにすることで、内容物を充填密封して胴部４に巻きラベルを装着する際に、容器１の剛性を損なうことなく、巻きラベルがウェスト部４０を形成する溝に食い込んでしまうのを防ぐことができ、これによって、胴部４に巻き付けられた巻きラベルにシワが生じないようにすることが可能になる。
【００２０】
すなわち、ウェスト部４０が、周方向に沿って直線状に形成されていると、ウェスト部４０を形成する溝に巻きラベルが食い込みやすくなってしまうが、ウェスト部４０を形成する主溝部４０ａと副溝部４０ｂとを段違いにして、高さ方向に直交する同一平面上に、溝部が形成された部位と、溝部が形成されていない部位とを混在させることで、巻きラベルの食い込みを緩和することができる。
【００２１】
特に、本実施形態のように、角形ボトル状の容器形状とした容器１にあっては、巻きラベルを胴部４の角部に巻き付けるときに張力が強まり、当該角部に位置する溝部に巻きラベルが食い込みやすくなってしまう傾向がある。これに対して、本実施形態では、胴部４の角部に副溝部４０ｂを位置させるとともに、当該副溝部４０ｂに巻きラベルが食い込み難いように主溝部４０ａよりも幅狭としているので、巻きラベルの食い込みをより有効に回避することができる。
【００２２】
また、ウェスト部４０を全周にわたって形成せずに、胴部４の角部だけ溝部をなくした形態としたのでは、容器１の剛性が弱くなってしまい、巻きラベルを装着する際に容器１が変形してしまうおそれがある。そのような場合には、巻きラベルを巻き付けること自体が困難となってしまうが、本実施形態にあっては、ウェスト部４０を胴部４の全周にわたって形成しているので、そのような不具合もない。
【００２３】
以上、本発明について、好ましい実施形態を示して説明したが、本発明は、前述した実施形態にのみ限定されるものではなく、本発明の範囲で種々の変更実施が可能であることは言うまでもない。
【産業上の利用可能性】
【００２７】
以上のような本発明に係る合成樹脂製容器は、巻きラベルが装着される種々の合成樹脂製容器に適用できる。
【符号の説明】
【００２８】
１      容器
２      口部
３      肩部
４      胴部
４０      ウェスト部
４０ａ    主溝部
４０ｂ    副溝部
４０ｃ    傾斜溝部
５      底部
【図１】
0005655428.tif 000002